(57)【要約】      （修正有）【課題】望遠鏡のレンズ部から容易に脱落しないレンズキャップを提供する。【解決手段】レンズキャップ１を構成するレンズ保護カバー３は、保護部３１と嵌合部３２を有し、前記保護部は右鏡筒の接眼部を覆い、前記保護部は嵌合部本体３２ａと、押圧部材であるタブ部３２ｂとを有し、該タブ部３２ｂは切欠き３２ｃに収容され、その一端部は前記嵌合部本体に連結され、前記タブ部はその一端部を中心にして揺動可能とされる。前記嵌合部本体の内周面には２つの突起３２ｄが形成され、また前記タブ部の内周面には突起３２ｅが形成されて、これら突起部は接眼レンズ外周面に形成された環状溝に係合し、操作部の揺動操作に応じて前記係合を係脱し、レンズキャップを着脱する。【選択図】図１
2008020794.tif 000002
【特許請求の範囲】
【請求項１】
レンズ部の先端部の外周面に着脱可能なレンズ保護カバーと、このレンズ保護カバーに結合され、前記レンズ部の先端部の外周面に接触可能な押圧部材と、この押圧部材を前記レンズ部の外周面に押圧したり、その押圧状態を解除したりするロック部材と
を備えていることを特徴とするレンズキャップ。
【請求項２】
前記押圧部材はタブ部であることを特徴とする請求項１記載のレンズキャップ。
【請求項３】
前記レンズ保護カバーは、左右一対であり、前記左右のレンズ保護カバーの中間位置で前記レンズ部の光軸方向と平行な回転中心軸回りに回転可能に連結されていることを特徴とする請求項１又は２記載のレンズキャップ。
【請求項４】
前記ロック部材は、
前記左右一対のレンズ保護カバーの連結部に位置切換え可能に配置されたノブと、
このノブの動きを前記レンズ部の外周面に前記押圧部材を押し付ける力に変換して前記押圧部材に伝える伝動部と
を有することを特徴とする請求項３記載のレンズキャップ。
【請求項５】
前記ロック部材は、
前記左右一対のレンズ保護カバーの連結部に揺動可能に配置されたノブと、
このノブの動きを前記レンズ部の外周面に前記押圧部材を押し付ける力に変換して前記押圧部材に伝える伝動部と
を有することを特徴とする請求項３記載のレンズキャップ。
【請求項６】
前記ロック部材は、
前記左右一対のレンズ保護カバーの連結部に移動可能に配置されたノブと、
このノブの動きを前記レンズ部の外周面に前記押圧部材を押し付ける力に変換して前記押圧部材に伝える伝動部と
を有することを特徴とする請求項３記載のレンズキャップ。
【請求項７】
前記押圧部材は、前記レンズ保護カバーの一部であることを特徴とする請求項１〜６のいずれか１項記載のレンズキャップ。
【発明の詳細な説明】
【技術分野】
【０００１】
この発明は望遠鏡のレンズ部を保護するレンズキャップに関する。
【背景技術】
【０００２】
従来、継手により回転可能に連結された２つのカバー部からなる接眼レンズカバーが知られている。
【特許文献１】実用新案登録第３０６６４６７号公報
【発明の開示】
【発明が解決しようとする課題】
【０００３】
上述の接眼レンズカバーには、例えば、双眼鏡を持ち運ぶときに、接眼レンズカバーに外力が加わると、接眼レンズカバーが脱落する虞があった。
【０００４】
この発明はこのような事情に鑑みてなされたもので、その課題は望遠鏡のレンズ部から容易に脱落しないレンズキャップを提供することである。
【課題を解決するための手段】
【０００５】
前述の課題を解決するため請求項１の発明のレンズキャップは、レンズ部の先端部の外周面に着脱可能なレンズ保護カバーと、このレンズ保護カバーに結合され、前記レンズ部の先端部の外周面に接触可能な押圧部材と、この押圧部材を前記レンズ部の外周面に押圧したり、その押圧状態を解除したりするロック部材とを備えていることを特徴とする。
【０００６】
請求項２の発明は、請求項１記載のレンズキャップにおいて、前記押圧部材はタブ部であることを特徴とする。
【０００７】
請求項３の発明は、請求項１又は２記載のレンズキャップにおいて、前記レンズ保護カバーは、左右一対であり、前記左右のレンズ保護カバーの中間位置で前記レンズ部の光軸方向と平行な回転中心軸回りに回転可能に連結されていることを特徴とする。
【０００８】
請求項４の発明は、請求項３記載のレンズキャップにおいて、前記ロック部材は、前記左右一対のレンズ保護カバーの連結部に位置切換え可能に配置されたノブと、このノブの動きを前記レンズ部の外周面に前記押圧部材を押し付ける力に変換して前記押圧部材に伝える伝動部とを有することを特徴とする。
【０００９】
請求項５の発明は、請求項３記載のレンズキャップにおいて、前記ロック部材は、前記左右一対のレンズ保護カバーの連結部に揺動可能に配置されたノブと、このノブの動きを前記レンズ部の外周面に前記押圧部材を押し付ける力に変換して前記押圧部材に伝える伝動部とを有することを特徴とする。
【００１０】
請求項６の発明は、請求項３記載のレンズキャップにおいて、前記ロック部材は、前記左右一対のレンズ保護カバーの連結部に移動可能に配置されたノブと、このノブの動きを前記レンズ部の外周面に前記押圧部材を押し付ける力に変換して前記押圧部材に伝える伝動部とを有することを特徴とする。
【００１１】
請求項７の発明は、請求項１〜６記載のレンズキャップにおいて、前記押圧部材は、前記レンズ保護カバーの一部であることを特徴とする。
【発明の効果】
【００１２】
この発明によれば、望遠鏡のレンズ部から容易に脱落しないレンズキャップを提供することができる。
【発明を実施するための最良の形態】
【００１３】
以下、この発明の実施の形態を図面に基づいて説明する。
【００１４】
図１はこの発明の第１実施形態に係るレンズキャップの背面図、図２は図１のII−II線に沿う断面図、図３は図１に示すレンズキャップのロック部材及びその周辺部分を示し、同図（ａ）はロック状態を示す断面図、同図（ｂ）はロック解除状態を示す断面図、図４は図１に示すレンズキャップのレンズ保護カバーの動作を示し、同図（ａ）はレンズ保護カバーを最も広げた状態を示す正面図、同図（ｂ）はレンズ保護カバーを最も小さくした状態を示す正面図である。
【００１５】
図１〜３に示すように、レンズキャップ１はレンズ保護カバー３とレンズ保護カバー４とロック部材７と備える。レンズキャップ１は双眼鏡２１用である。
【００１６】
レンズ保護カバー３は硬質プラスチック製であり、保護部３１と嵌合部３２とアーム部３３と連結部３４とを有する。
【００１７】
保護部３１は円板状であり、右鏡筒２２の接眼レンズ部２４を覆う。
【００１８】
嵌合部３２はほぼ円筒状であり、保護部３１の一方の面に形成され、接眼レンズ部２４の外周面に嵌合する。嵌合部３２は嵌合部本体３２ａと押圧部材であるタブ部３２ｂとを有する。嵌合部本体３２ａは切欠き３２ｃを有する。タブ部３２ｂは切欠き３２ｃに収容され、その一端部は嵌合部本体３２ａに連結されている。タブ部３２ｂはその一端部を中心にして揺動可能である。嵌合部本体３２ａの内周面には２つの突起３２ｄが形成されている。タブ部３２ｂの内側面には突起３２ｅが形成されている。突起３２ｄ，３２ｅは接眼レンズ部２４の外周面に形成された環状溝２４ａに係合するが、これらは必ずしも必要ではない。嵌合部３２の外周面には紐通し３５が形成されている。
【００１９】
本実施形態では、押圧部材であるタブ部３２ｂをレンズ保護カバー３と一体化してあるが、必ずしも押圧部材をレンズ保護カバーと一体化する必要はなく、独立した押圧部材をレンズ保護カバーにも取り付けるようにしてもよい（後述のタブ部４２ｂも同様である）。
【００２０】
アーム部３３は保護部３１と後述の円板状部３４ａとの間に介在する。
【００２１】
連結部３４は円板状部３４ａと４つの周壁部３４ｂを有する。円板状部３４ａの中心部には孔３４ｃが形成されている。周壁部３４ｂは円板状部３４ａの一方の面に形成されている。周壁部３４ｄの外周面にはローレット３４ｄが形成されている。周壁部３４ｄの外周面は後述の連結部４４の内周面に接触する。周壁部３４ｄの先端部には爪３４ｅが形成されている（図３参照。便宜上、図１、２には爪３４ｅの図示を省略した。）。円板状部３４ａの他面には環状突起３４ｆが形成されている。環状突起３４ｆは円板状部３４ａと同心である。
【００２２】
レンズ保護カバー４はレンズ保護カバー３とほぼ同じ構成である。レンズ保護カバー４は硬質プラスチック製であり、保護部４１と嵌合部４２とアーム部４３と連結部４４とを有する。
【００２３】
保護部４１は円板状であり、左鏡筒２３の接眼レンズ部２５を覆う。
【００２４】
嵌合部４２はほぼ円筒状であり、保護部４１の一方の面に形成され、接眼レンズ部２５の外周面に嵌合する。嵌合部４２は嵌合部本体４２ａと押圧部材であるタブ部４２ｂとを有する。嵌合部本体４２ａは切欠き４２ｃを有する。タブ部４２ｂは切欠き４２ｃに収容され、その一端部は嵌合部本体４２ａに連結されている。タブ部４２ｂはその一端部を中心にして揺動可能である。嵌合部本体４２ａの内周面には２つの突起４２ｄが形成されている。タブ部４２ｂの内側面には突起４２ｅが形成されている。突起４２ｄ，４２ｅは接眼レンズ部２５の外周面に形成された環状溝２５ａに係合するが、これらは必ずしも必要ではない。嵌合部４２の外周面には紐通し４５が形成されている。
【００２５】
アーム部４３は保護部４１と連結部４４との間に介在する。
【００２６】
連結部４４は円筒状である。連結部４４には後述の帯状体７２を通すための２つの切欠き４４ａが形成されている。連結部４４の内周面にはストッパ４４ｂが形成されている。また、連結部４４の内周面にはローレット４４ｄが形成されている。ローレット４４ｄはレンズ保護カバー３のローレット３４ｄと噛合する。
【００２７】
連結部３４と連結部４４とで特許請求の範囲の連結部が構成される。
【００２８】
図３に示すように、ロック部材７はノブ７１と帯状体（伝動部）７２とで構成されている。
【００２９】
ノブ７１は操作部７１ａと軸部７１ｂとを有する。操作部７１ａは円板状部３４ａの他方の面に配置され、その中央部を支点にしてシーソーのように揺動する。操作部７１ａの両端面は環状突起３４ｆの内周面に圧接する。軸部７１ｂは操作部７１ａの中央部に形成されている。軸部７１ｂにはスリット７１ｃが形成されている。軸部７１ｂは孔３４ｃに通されている。
【００３０】
帯状体７２は可撓性を有するプラスチックで形成されている。帯状体７２の一端はタブ部３２ｂに結合され、帯状体７２の他端はタブ部４２ｂに結合されている。帯状体７２は弓なりになっている。帯状体７２は軸部７１ｂのスリット７１ｃに挿入されている。帯状体７２がスリット７１ｃから脱落しないように軸部７１ｂの先端部にキャップ７３が装着されている。
【００３１】
連結部４４にはレンズ保護カバー３の４つの周壁部３４ｂが挿入される。これにより、図４（ａ）、（ｂ）に示すように、レンズ保護カバー３，４は連結部３４，４４の中心軸を回転中心軸として回転可能に連結される。レンズ保護カバー３のレンズ保護カバー４からの脱落は周壁部３１ｂの先端に形成された爪３４ｅが連結部４４の一端面に係合することによって防止される。また、周壁部３４ｂのローレット３４ｄと連結部４４のローレット４４ｄとが噛合するので、レンズ保護カバー３，４の保護部３１，４１の間隔をどのように設定しても、設定した間隔が保たれる。レンズ保護カバー３，４の回転はストッパ４４ｂとその両側に位置する周壁部３４ｂとが突き当たることによって制限される。
【００３２】
次にこのレンズキャップの動作について説明する。
【００３３】
図３（ａ）の矢印のように、操作部７１ａの一端部を押圧すると、操作部７１ａの一端面が環状突起３４ｆの内周面に圧接し、その状態が保たれる。このとき、軸部７１ｂは帯状体７２を図１の想像線で示す位置から実線で示す位置まで押圧する。その結果、タブ部３２ｂ，４２ｂは図１の想像線で示す位置から実線で示す位置に移動し、それぞれ接眼レンズ部２４，２５の外周壁に圧接する。このときタブ部３２ｂ，４２ｂの突起３２ｅ，４２ｅはそれぞれ接眼レンズ部２４，２５の環状溝２４ａ，２５ａに係合する。以上のように、レンズキャップ１の一部（タブ部３２ｂ，４２ｂ）が接眼レンズ部２４，２５の外周壁に対して押圧されるので、レンズキャップ１に外力が加わってもレンズキャップ１は双眼鏡２１から容易に外れない。
【００３４】
ロック部材７が図３（ａ）に示す状態にあるとき、図３（ｂ）の矢印のように、操作部７１ａの他端部を押圧すると、操作部７１ａは揺動し、操作部７１ａの一端面と環状突起３４ｆの内周面との圧接が解かれ、操作部７１ａの他端面が環状突起３４ｆの内周面に圧接し、その状態が保たれる。このとき、軸部７１ｂも揺動し、軸部７１ｂは帯状体７２を図１の実線で示す位置から想像線で示す位置まで引っ張り上げる。その結果、タブ部３２ｂ，４２ｂは図１の実線で示す位置から想像線で示す位置に移動し、それぞれ接眼レンズ部２４，２５から離れる。突起３２ｅ，４２ｅと環状溝２４ａ，２５ａとの係合も解かれる。以上のようにしてレンズキャップ１を双眼鏡２１から容易に外すことができる。
【００３５】
以上のように、この実施形態によれば、ロック部材７を操作することによって、レンズキャップ１を双眼鏡２１から容易に外れなくすることができ、しかも、双眼鏡２１へのレンズキャップ１の装着も容易に行うことができる。
【００３６】
図５はこの発明の第２実施形態に係るレンズキャップのロック部材及びその周辺部分を示し、同図（ａ）はロック状態を示す断面図、同図（ｂ）はロック解除状態を示す断面図である。
【００３７】
第１実施形態と共通する部分については同一符号を付してその説明を省略する。以下、主な相違部分についてだけ説明する。
【００３８】
第１実施形態の場合、ノブ７１は揺動するが、第２実施形態の場合、ノブ２７１の操作部２７１ａは、図５（ａ）、（ｂ）に示すように、円板状部３４ａの他方の面にスライド可能に配置されている。操作部２７１ａのスライドにともなって軸部２７１ｂは接眼レンズ部２４，２５の光軸方向とほぼ平行な状態を保って移動する。操作部２７１ａと円板状部３４ａとの間には摩擦力が発生する。
【００３９】
第２実施形態によれば、第１実施形態と同様の効果を得ることができる。
【００４０】
図６は第３実施形態に係るレンズキャップを示し、同図（ａ）は平面図、同図（ｂ）は破断面図、同図（ｃ）は底面図、同図（ｄ）ロック部材の断面図である。
【００４１】
この実施形態のレンズキャップは、１つの保護カバーで構成されるものである。
【００４２】
レンズキャップ３０１はレンズ保護カバー３０５とロック部材３０７とを備える。レンズキャップ３０１は例えば、望遠鏡２７の接眼部２８を保護するものである。
【００４３】
レンズ保護カバー３０５はプラスチック製であり、保護部３５１と嵌合部３５２と１対の係合部（伝導部）３５３とを有する。
【００４４】
保護部３５１は円板状であり、接眼レンズ部２８を覆う。
【００４５】
嵌合部３５２は円筒状であり、保護部３５１の一方の面に形成され、接眼レンズ部２８の外周面に嵌合する。嵌合部３５２にはスリット３５２ａが形成されている。嵌合部３５２の内周面には３つの突起３５２ｄが形成されている。突起３５２ｄは接眼レンズ部２８の外周面に形成された環状溝２８ａに係合するが、これらは必ずしも必要ではない。
【００４６】
一対の係合部３５３はスリット３５２ａを介して対向する。一対の係合部はそれぞれ係合片部３５３ａと脚部３５３ｂとを有する。係合片部３５３ａはほぼ三角形の板状である。脚部３５３ｂは板状であり、係合片部３５３ａを嵌合部３５２に結合する。
【００４７】
ロック部材３０７は空間部３７１と溝３７２とを有する。空間部３７１の形状は一対の係合片部３５３ａの間隔を狭めて密接させたときの状態の形状にほぼ等しい。空間部３７１には一対の係合片部３５３ａが収容される。溝３７２は空間部３７１に通じ、溝３７２には一対の脚部３５３ｂが収容される。
【００４８】
図６（ｂ）に示すように、ロック部材３０７を矢印のように光軸方向へ押圧すると、相対的に一対の係合片部３５３ａはロック部材３０７の空間部３７１の奥へ進む。このとき、ロック部材３０７の空間部３７１の内面が一対の係合片部３５３ａを押圧し、一対の係合片部３５３ａの間隔が狭まるとともに、嵌合部３５２が内側へ倒れる。これにより、嵌合部３５２が接眼レンズ部２８の外周面に圧接するとともに、突起３５２ｄが接眼レンズ部２８の環状溝２８ａに嵌合する。この突起３５２ｄ、環状溝２８ａは必ずしも必須ではない。
【００４９】
第３実施形態によれば、第１実施形態と同様の効果を得ることができる。
【００５０】
図７は第４実施形態に係るレンズキャップを示し、同図（ａ）は破断面図、同図（ｂ）は一部を切り欠いた状態を示す正面図、同図（ｃ）は底面図である。
【００５１】
レンズキャップ４０１はレンズ保護カバー４０５とロック部材４０７とを備える。レンズキャップ４０１は例えば、図示しない望遠鏡の接眼部を保護するものである。
【００５２】
レンズ保護カバー４０５はプラスチック製であり、保護部４５１と嵌合部４５２と１対の係合部（伝動部）４５３とを有する。
【００５３】
保護部４５１は円板状であり、接眼レンズ部を覆う。保護部４５１にはスリット４５１ａが形成されている。スリット４５１ａは保護部４５１の直径方向へ延びている。
【００５４】
嵌合部４５２は円筒状であり、接眼レンズ部の外周面に嵌合する。嵌合部４５２にはスリット４５２ａが形成されている。スリット４５２ａはスリット４５１ａに連続する。嵌合部４５２の内周面には３つの突起４５２ｂが形成されている。突起４５２ｂは接眼レンズ部の外周面に形成された環状溝（図示せず）に係合するが、これらは必ずしも必要ではない。
【００５５】
一対の係合部４５３は保護部４５１の一方の面に形成されている。一対の係合部４５３はスリット４５１ａを介して対向する。一対の係合部４５３はそれぞれ係合片部４５３ａと脚部４５３ｂとを有する。係合片部４５３ａはほぼ三角形の板状である。脚部４５３ｂは板状であり、係合片部３５３ａを保護部４５１に結合する。
【００５６】
ロック部材４０７は係合部４７１と押圧４７２とを有する。係合部４７１は保護部４５１に対向する。係合部４７１は空間部４７１ａを有する。空間部４７１ａの形状は一対の係合片部４５３ａの間隔を狭めて密接させたときの状態の形状にほぼ等しい。空間部４７１ａには一対の係合片部４５３ａが収容される。溝４７１ｂは空間部４７１ａに通じ、溝４７１ｂには一対の脚部４５３ｂが収容される。押圧部４７２は係合部４７１の一端に結合され、嵌合部４５２に対向する。
【００５７】
図７（ａ）に示すように、ロック部材４０７の押圧部４７２を矢印のように光軸方向へ押圧すると、相対的に一対の係合片部４５３ａはロック部材４０７の空間部４７１ａの奥へ進む。このとき、ロック部材４０７の空間部４７１ａの内面が一対の係合片部４５３ａを押圧し、一対の係合片部４５３ａの間隔が狭まるとともに、保護部４５１のスリット４５１ａの幅も狭まり、保護部４５１の径が小さくなる。これにより、嵌合部４５２が接眼レンズ部の外周面に圧接するとともに、突起４５２ｂが接眼レンズ部の環状溝に嵌合する。
【００５８】
第４実施形態によれば、第１実施形態と同様の効果を得ることができる。
【００５９】
なお、第１の実施形態では嵌合部３２，４２を嵌合部本体３２ａ，４２ａとタブ部３２ｂ，４２ｂとで構成したが、レンズ保護カバ−３，４をゴムのような弾性部材で形成した場合、タブ部３２ｂ，４２ｂは必ずしも必要でない。
【００６０】
また、上述の実施形態は接眼レンズ用のレンズキャップであるが、本発明の適用は接眼レンズ用のレンズキャップに限られず、対物レンズ用のレンズキャップにも適用することができる。
【図面の簡単な説明】
【００６１】
【図１】図１はこの発明の第１実施形態に係るレンズキャップの背面図である。
【図２】図２は図１のII−II線に沿う断面図である。
【図３】図３は図１に示すレンズキャップのロック部材及びその周辺部分を示す図である。
【図４】図４は図１に示すレンズキャップのレンズ保護カバーの動作を示す図である。
【図５】図５はこの発明の第２実施形態に係るレンズキャップのロック部材及びその周辺部分を示す図である。
【図６】図６は第３実施形態に係るレンズキャップを示す図である。
【図７】図７は第４実施形態に係るレンズキャップを示す図である。
【符号の説明】
【００６２】
１，２０１，３０１，４０１：レンズキャップ、３，４：レンズ保護カバー、３０５，４０５：レンズ保護カバー、３２ｂ，４２ｂ：タブ部、３４，４４：連結部、７，３０７，４０７：ロック部材、７１，２７１：ノブ、７２：帯状体（伝動部）。
【図１】
2008020794.tif 000003
【図２】
2008020794.tif 000004
【図３】
2008020794.tif 000005
【図４】
2008020794.tif 000006
【図５】
2008020794.tif 000007
【図６】
2008020794.tif 000008
【図７】
2008020794.tif 000009